(57)【要約】【課題】動作電力供給用電波が弱まる位置に無線式データキャリアがあったとしても安定した読み取りを行うことができ、かつ伝票、封筒等の薄い物品に取り付けることができる無線式データキャリアの設置構造を提供する。【解決手段】物品３には、無線式データキャリア１と、無線式データキャリア１と同一平面上に設けられた反射板２とが貼り付けられている。より安定した読み取りを行う為には無線式データキャリア１と反射板２との間隔を応答波７の波長の半分に設定することが望ましい。【選択図】  図１
2006157779.tif 000002
【特許請求の範囲】
【請求項１】
物品に貼り付けられ、所定の位置に設けられたアンテナとの間で電波の送受信を行う無線式データキャリアの設置構造において、前記無線式データキャリアと同一平面上に反射板を貼り付けていることを特徴とする無線式データキャリアの設置構造。
【請求項２】
所定の位置に設けられたアンテナとの間で電波の送受信を行う無線式データキャリアの設置構造において、前記無線式データキャリアと反射板がシートの同一平面上に貼り付けられ、前記シートを物品に貼り付けていることを特徴とする無線式データキャリアの設置構造。
【請求項３】
前記シートはシール状であることを特徴とする請求項２記載の無線式データキャリアの設置構造。
【請求項４】
前記無線式データキャリアと前記反射板との間隔は、前記アンテナから出力される電波の波長の半分の距離であることを特徴とする請求項１乃至３の何れか１に記載の無線式データキャリアの設置構造。
【請求項５】
前記無線式データキャリアと前記反射板との間隔は、前記アンテナから出力される電波に対する前記無線式データキャリアの応答波波長の半分の距離であることを特徴とする請求項１乃至３の何れか１に記載の無線式データキャリアの設置構造。
【請求項６】
前記反射板は、前記アンテナから前記無線式データキャリアに対して出力される電波の位相と前記無線式データキャリアの応答波に対する前記反射板の反射波の位相とが合致する複数の位置のうち一つ以上の位置に貼り付けていることを特徴とする請求項１乃至３の何れか１に記載の無線式データキャリアの設置構造。
【請求項７】
前記反射板は、前記アンテナから出力される電波に対する前記無線式データキャリアの応答波の位相と前記応答波に対する前記反射板の反射波の位相とが合致する複数の位置のうち一つ以上の位置に貼り付けていることを特徴とする請求項１乃至３の何れか１に記載の無線式データキャリアの設置構造。
【請求項８】
前記反射板はアルミ箔等の薄い金属であることを特徴とする請求項１乃至８の何れか１に記載の無線式データキャリアの設置構造。
【発明の詳細な説明】
【技術分野】
【０００１】
本発明は非接触により読み取りを行う無線式データキャリアの設置構造に関する。
【背景技術】
【０００２】
無線式データキャリアの一般的な利用法としては、読み取り対象物としての無線式データキャリアから発射される電波を読取器で受信し、無線式データキャリアから送られてくるデータを解読し物品管理や検品、仕分等の業務を行うことである。
【０００３】
ここで無線式データキャリアには電池を有する電池タイプと、電池を有さず、質問器等から電波によって送られた電力により動作する無電地タイプがある。無電池タイプの無線式データキャリアは質問器のアンテナから電波によって送られる電力を利用して無線式データキャリアに書き込まれているデータにて変調した電波、つまり応答波を発生させる。続いて読取器が前記応答波を受信することで無線式データキャリア内のデータを読み取る。
【０００４】
従って、質問器のアンテナから送られてくる電波が弱い状態では応答波も弱くなるため、読み取りが不可能となる場合がある。特にベルトコンベヤにより搬送される物品に付された無線式データキャリアを読み取るような場合は、ベルトコンベヤを構成する金属からの電波の反射により質問器のアンテナから送られる電波が弱められる場所が数多く発生し、そのため読み取りが不可能となる場合がある。
【０００５】
これを図３、図４を用いて詳細に説明を行う。まず図３を用いて、無線式データキャリア１に対して動作用電力を供給するために、質問器１０のアンテナ１２から出力される動作電力供給用電波６の振る舞いについて説明する。ここではベルトコンベヤ１３の上部に質問器１０と読取器１１とアンテナ１２を設置し、コンベヤ１３にて搬送される物品１４の上面に取り付けられた無線式データキャリア１を読み取るため、無線式データキャリア１に向かってアンテナ１２から動作電力供給用電波６を下方に放射する。
【０００６】
この場合、一般的なベルトコンベヤ１３のベルト１５は、ベルト１５の下に設けられた金属板１６の上面を滑る構造となっている。つまりベルト１５の直下には大きな金属板１６が設置されている。従って、アンテナ１２から放射された動作電力供給用電波６は金属板１６により反射されて金属板１６からの反射波１７となり、金属面１６に入射する動作電力供給用電波６と干渉を起こす。その結果、動作電力供給用電波６では強い電波の場所と弱い電波の場所が発生する。従って電波の弱い位置に無線式データデータキャリア１が進入すると、無線式データキャリア１に動作に十分な電力が供給できないため、データキャリアの内容を読み取れない場合がある。
【０００７】
この状態を図４を用いて説明する。図４に示す金属板１６はベルトコンベヤ１３の金属板１６と同等な金属板である。アンテナ１２から照射された動作電力供給用電波６は金属板１６にて反射される。本発明者が行った調査によれば、図４に示すように金属板１６による反射波は動作電力供給用電波６と干渉し、動作電力供給用電波６よりも振幅が大きく、腹の位置２１に示す腹と、節の位置２４に示す節を持った定在波２０を発生させるとの結論を得た。また定在波２０の腹の位置２１と節の位置２２は、金属板１６とアンテナ１２間の距離に拘わらず、常に金属板１６からの距離によって決定されるとの決論を得た。
【０００８】
つまり動作電力供給用電波６は定在波２０となり、金属板１６から腹の位置２１の距離をｘとすると、
ｘ＝λ／４＋ｎ（λ／２）    ｎ＝０，１，２・・・
の位置で最大となる。つまり最初に現れる電波の強まった位置はλ／４であり、その後はλ／２ごとに電波の強まった位置が現れる。この電波が強まった腹の位置に無線式データキャリア１が来た場合は安定した読み取りが可能となる。また、金属板１６から節の位置２２をｙとすると、
ｙ＝ｎ（λ／２）    ｎ＝０，１，２・・・
の位置では定在波２０が弱くなるため、この位置に無線式データキャリア１が来た場合は読み取りが困難となる可能性が高い。
【０００９】
そこで安定した読み取りを実現するために、コンベヤ等の金属面からの反射を防ぐことを目的とした反射板を、無線式データキャリアからある程度離した距離に設ける方式が従来から行われている。具体的には、無線式データキャリアの近辺に金属板１６と同様な働きをする電波の反射板を設けてベルトコンベヤ等からの動作電力供給用電波６を弱める不要な反射を遮断すると同時に、動作電力供給用電波６を反射し上記のように定在波２０を発生させて電波の強い位置、つまり腹の位置２１付近に無線式データキャリア１を設ける方式が考えられている。
【００１０】
例えば特許文献１には、スペーサの表面に無線式データキャリアを取り付け、スペーサの裏面に反射板を取り付けた実施例が記載されている。
【００１１】
【特許文献１】特開２００２−２３０５０７公報
【発明の開示】
【発明が解決しようとする課題】
【００１２】
しかしながら、特許文献１に示された方式では、図５に示すとおり、反射板２を無線式データキャリア１のアンテナが取り付けられる平面であるアンテナ取付面４に対してスペーサ５を介して垂直の方向に設けているが、スペーサ５の厚さ分だけ無線式データキャリアの厚さが厚くなる為、伝票、封筒等の薄い物品等への取り付けが困難であるという問題があった。
【課題を解決するための手段】
【００１３】
本発明は、物品に貼り付けられ、所定の位置に設けられたアンテナとの間で電波の送受信を行う無線式データキャリアの設置構造において、前記無線式データキャリアと同一平面上に反射板を貼り付けていることを特徴とする。
【００１４】
また本発明の他の形態は、所定の位置に設けられたアンテナとの間で電波の送受信を行う無線式データキャリアの設置構造において、前記無線式データキャリアと反射板がシートの同一平面上に貼り付けられ、前記シートを物品に貼り付けていることを特徴とする。また、前記シートはシール状であることを特徴とする。
【００１５】
また前記無線式データキャリアと前記反射板との間隔は、前記アンテナから出力される電波の波長の半分の距離であることを特徴とする。
【００１６】
また前記無線式データキャリアと前記反射板との間隔は、前記アンテナから出力される電波に対する前記無線式データキャリアの応答波波長の半分の距離であることを特徴とする。
【００１７】
また前記反射板は、前記アンテナから前記無線式データキャリアに対して出力される電波の位相と前記無線式データキャリアの応答波に対する前記反射板の反射波の位相とが合致する複数の位置のうち一つ以上の位置に貼り付けていることを特徴とする。
【００１８】
また前記反射板は、前記アンテナから出力される電波に対する前記無線式データキャリアの応答波の位相と前記応答波に対する前記反射板の反射波の位相とが合致する複数の位置のうち一つ以上の位置に貼り付けていることを特徴とする。
【００１９】
更に前記反射板はアルミ箔等の薄い金属であることを特徴とする。
【発明の効果】
【００２０】
本発明の無線式データキャリアの設置構造によれば、動作電力供給用電波が弱まる位置に無線式データキャリアがあったとしても安定した読み取りを行うことができ、かつ伝票、封筒等の薄い物品に取り付けることができる。
【発明を実施するための最良の形態】
【００２１】
次に、本発明の実施の形態について図面を参照して説明する。
【００２２】
図１は本発明の無線式データキャリア設置構造の実施形態を示す構成図である。図１によれば本実施形態は無線式データキャリア１と、無線式データキャリア１と同一平面上に設けられた反射板２と、無線式データキャリア１と反射板２が貼り付けられる物品３から構成されている。
【００２３】
なお、無線式データキャリア１と反射板２は直接物品に貼り付けるのではなく、例えばシール等のシートに貼り付け、該シートを物品に貼り付けるようにしてもよい。
【００２４】
ここで反射板２は、無線式データキャリア１から出力される応答波７の中で反射板２方向の応答波９を、応答波の反射波８として反射する。その結果、無線式データキャリア１から出力される応答波７に反射板２による応答波の反射波８が加算されるため、応答波は強められる。よって前述のように動作電力供給用電波６が弱まる節の位置２２の位置
ｙ＝ｎ（λ／２）    ｎ＝０，１，２・・・
に無線式データキャリア１があっても応答波７を強くすることが可能となり、安定した読み取りが実現できることになる。
【００２５】
ここで、無線式データキャリア１と反射板２の設置の間隔は、応答波７の波長の半分に設定することが好ましい。間隔を決定するための条件としては、反射板方向の応答波９の反射波８と無線式データキャリア１から直接出力される応答波７の電波の位相が合致し強めあう関係とすることが必要となる。ここで反射板２によって電波が反射される際に電波の位相は逆転される。つまり正弦波において半波長ずれた位相となる。従って反射板２を半波長離れた位置に設置すれば更に半波長ずれることになり、反射での半波長のずれと加算されることで１波長のずれとなり位相のずれはなくなる。その結果、反射板方向の応答波９の反射波８とデータキャリア１から直接出力される応答波７の電波の位相が合致し、強めあう関係となるためである。
【００２６】
この関係は無線式データキャリア１が動作電力供給用電波６を受け取る場合でも成り立ち、動作電力供給用電波６が無線式データキャリア１に入射するときの動作電力供給用電波６の位相と、反射板２で反射されて無線式データキャリア１に入射する動作電力供給用電波６の位相が合致するため、強められた動作電力供給用電波６が無線式データキャリア１に入射される。また図２に示すとおり、反射板２をデータキャリア１の両側に設置することで、本発明の効果は更に高められる。
【００２７】
また反射板をアルミ箔等の薄い金属とすることで、折り畳み可能な伝票、反射板の伝票への容易な貼付、反射板上への書込等が可能となる。従って伝票の反射板上には従来どおり、情報が記載可能となり、反射板を設けるために記載エリアが狭くなってしまう等の問題は発生しない。
【００２８】
さらに反射板の個数は１か２に限らず、応答波の反射波８とデータキャリア１から直接出力される応答波７の電波の位相が合致し強めあう関係となる位置への複数の反射板の設置は必要に応じて可能である。更にバッテリーを内蔵したデータキャリアにおいても本発明の実施は可能である。
【００２９】
以上述べたように本発明によれば、反射板はデータキャリアと同一平面上への設置が可能となり厚さ方向の間隔は必要としないため、伝票等薄い物体への無線式データキャリアの適用が可能となる。
【図面の簡単な説明】
【００３０】
【図１】本発明の無線式データキャリアの設置構造の実施形態を示すブロック図である。
【図２】本発明の無線式データキャリアの設置構造の他の実施形態を示すブロック図である。
【図３】ベルトコンベヤ上の無線式データキャリアに対してアンテナから出力される動作電力供給用電波の振る舞いを説明する図である。
【図４】アンテナから照射された動作電力供給用電波と金属板による反射波が干渉して定在波となることを説明する図である。
【図５】従来技術の無線式データキャリアの設置構造の実施形態を示す図である。
【符号の説明】
【００３１】
１  無線式データキャリア
２  反射板
３  物品
４  アンテナ取付面
５  スペーサ
６  動作電力供給用電波
７  応答波
８  反射波
９  反射板への応答波
１０  質問器
１１  読取器
１２  アンテナ
１３  コンベヤ
１４  物品
１５  コンベヤ
１６  金属板
１７  金属による反射波
２０  定在波
２１  定在波の腹
２２  定在波の節
【図１】
2006157779.tif 000003
【図２】
2006157779.tif 000004
【図３】
2006157779.tif 000005
【図４】
2006157779.tif 000006
【図５】
2006157779.tif 000007